(57)【特許請求の範囲】
【請求項１】
管理機（１）に取り付けた作業機取付体（１１）に装着して、作業機の支持杆（１３ａ）を上下調節可能に取り付ける作業機装着装置（１２）であって、前記作業機取付体（１１）は、前部に管理機（１）の機体フレーム（２）取り付けるための本機固定部（１１ａ）を形成し、後部には作業機の支持杆体（２０）を取り付けるための杆固定部（１１ｂ）を形成し、前記杆固定部（１１ｂ）はパイプ状に形成して略鉛直方向に配設し、該杆固定部（１１ｂ）に作業機装着装置（１２）の支持杆体（２０）を挿入固定し、前記杆固定部（１１ｂ）に固定される支持杆体（２０）と、作業機の支持杆（１３ａ）を取り付ける杆取付体（２２）との間に、前記支持杆体（２０）と杆取付体（２２）を所定間隔をあけて連結する連結体（２１）を介装し、該連結体（２１）は、プレートを側面視略クランク状に折り曲げて形成し、下部前面を前記支持杆体（２０）の下部後面に固設し、上部は該支持杆体（２０）と所定の間隔をあけて後上方に延設し、該上部後面を前記杆取付体（２２）の下部前面に固設したことを特徴とする作業機装着装置。
【請求項２】
請求項１記載の作業機装着装置において、前記杆取付体（２２）に挿入した支持杆（１３ａ）を固定する固定体（２３）を備え、前記固定体（２３）は、該支持杆（１３ａ）と直交したカム軸（２３ａ）と、レバー（２３ｂ）とを備え、該カム軸（２３ａ）には断面形状が徐々に半径が小さくなるカム部（２３ｃ）が形成され、前記杆取付体（２２）に挿入した支持杆（１３ａ）の外周に、前記カム部（２３ｃ）を押し付けて固定する構成としたことを特徴とする作業機装着装置。
【発明の詳細な説明】
【技術分野】
【０００１】
本発明は、管理機や耕耘機等の走行機体に作業機を取り付けるための作業機装着装置に関し、詳しくは、作業機を工具なしで容易に着脱可能とし、上下高さも同時調節できる作業機装着装置に関する。
【背景技術】
【０００２】
従来から、管理機の後部に培土板等の作業機を容易に着脱できるようにした技術は公知となっている（例えば、特許文献１）。この従来技術は、平面視コ字状のブラケットを本機側に設け、該ブラケットの上部に係止ピンを設け、下部に連結ピン係合凹部を形成している。一方、作業機は作業機側ヒッチを取り付けておき、作業側ヒッチの係止用フックを前記係止ピンに係合し、作業機側ヒッチの連結ピンを前記連結ピン係合凹部に嵌合して、前記連結用フックを連結ピンに係合させることにより作業機を固定していた。そして、外すときには、連結用フックに連設した連結解除レバーを回動することにより連結用フックを解除して、作業機側ヒッチを外すようにしていた。
【特許文献１】特開平１１−３４６５０３号公報
【発明の開示】
【発明が解決しようとする課題】
【０００３】
しかし、前記技術では、培土板等の作業機は予め作業機側ヒッチに取り付けておく必要があり、作業機側ヒッチと本機側ヒッチが必要となり、構造が複雑で部品点数も多くなり、高価であった。また、作業深さ（作業機高さ）を変更する場合には、作業機の高さを変するために、ピンの抜き差し等の操作が必要であり、更に、ボルトで締め付けて固定する場合にはスパナ等の工具が必要であった。
そこで、本発明は、管理機等の自走式の走行機体の後部に設ける作業機取付体、または、トラクタ等の走行機体に装着したツールバーに取り付けた作業機取付体に作業機装着装置を着脱可能に取り付けて、該作業機装着装置に、工具を必要とせず、培土板等の作業機を容易に着脱でき、高さ調節も容易にできるようにするものである。
【課題を解決するための手段】
【０００４】
本発明の解決しようとする課題は以上の如くであり、次にこの課題を解決するための手段を説明する。
請求項１においては、管理機（１）に取り付けた作業機取付体（１１）に装着して、作業機の支持杆（１３ａ）を上下調節可能に取り付ける作業機装着装置（１２）であって、  前記作業機取付体（１１）は、前部に管理機（１）の機体フレーム（２）取り付けるための本機固定部（１１ａ）を形成し、後部には作業機の支持杆体（２０）を取り付けるための杆固定部（１１ｂ）を形成し、前記杆固定部（１１ｂ）はパイプ状に形成して略鉛直方向に配設し、該杆固定部（１１ｂ）に作業機装着装置（１２）の支持杆体（２０）を挿入固定し、前記杆固定部（１１ｂ）に固定される支持杆体（２０）と、作業機の支持杆（１３ａ）を取り付ける杆取付体（２２）との間に、前記支持杆体（２０）と杆取付体（２２）を所定間隔をあけて連結する連結体（２１）を介装し、該連結体（２１）は、プレートを側面視略クランク状に折り曲げて形成し、下部前面を前記支持杆体（２０）の下部後面に固設し、上部は該支持杆体（２０）と所定の間隔をあけて後上方に延設し、該上部後面を前記杆取付体（２２）の下部前面に固設したものである。
請求項２においては、請求項１記載の作業機装着装置において、前記杆取付体（２２）に挿入した支持杆（１３ａ）を固定する固定体（２３）を備え、前記固定体（２３）は、該支持杆（１３ａ）と直交したカム軸（２３ａ）と、レバー（２３ｂ）とを備え、該カム軸（２３ａ）には断面形状が徐々に半径が小さくなるカム部（２３ｃ）が形成され、前記杆取付体（２２）に挿入した支持杆（１３ａ）の外周に前記カム部（２３ｃ）を押し付けて固定する構成としたものである。
【発明の効果】
【０００５】
本発明の効果として、以下に示すような効果を奏する。
請求項１の如く構成したので、作業機装着装置は簡単に構成でき、安価に製作できるとともに、作業機装着装置を走行機体に取り付けておくだけで、容易に作業機を着脱でき、高さ調節も容易にできる。また、従来のように作業機側ヒッチを予め作業機に取り付ける必要がなく、そのまま作業機を取り付けることができる。
請求項２の如く構成したので、作業機の支持杆を固定するための構造が簡単で、工具を必要とせず、レバーの回動により容易に支持杆を固定することができ、また、レバーを回動するだけで作業機の高さも任意の高さに容易に調整できる。
【発明を実施するための最良の形態】
【０００６】
次に、本発明の作業機装着装置の実施の形態を説明する。なお、管理機等の走行機体の後部、または、トラクタ等の走行機体に装着したツールバーには、培土板等の作業機の前部に立設する支持杆を取り付けるための作業機取付体が設けられているものとし、本発明の作業機装着装置はこの作業機取付体に装着する。
【０００７】
図１は本発明の作業機装着装置に培土板を装着した管理機の全体側面図、図２は本発明の作業機装着装置の側面図、図３は図２におけるＸ−Ｘ矢視断面図、図４は図３におけるカム部のＹ−Ｙ矢視断面図である。
【０００８】
まず、走行機体を管理機１とし、該管理機１に本発明の作業機装着装置１２を介して作業機としての培土板１３を取り付けた実施の形態を説明する。図１において、管理機１は機体フレーム２上にエンジン３を搭載し、該機体フレーム２の左右中央部にミッションケース４が立設され、該ミッションケース４の上部と前記エンジン３の間に伝動ケース５を配設して、動力を伝達可能としている。ミッションケース４の下部には耕耘軸６が左右方向に横架され、該耕耘軸６上に耕耘爪７・７・・・が放射状に植設されている。
【０００９】
前記ミッションケース４の上部にハンドル８の基部が固設され、該ハンドル８は斜め後上方に突設されて、該ハンドル８の後部にグリップを形成して、クラッチレバーやアクセルレバー等を配設している。前記エンジン３の上部には燃料タンク９が配設され、機体フレーム２の前部にバンパー１０が配設されている。
【００１０】
また、前記機体フレーム２の後部またはミッションケース４の後部に作業機取付体１１を設け、該作業機取付体１１に本発明の作業機装着装置１２を介して作業機が装着可能に構成されている。本実施例では作業機として培土板１３を装着しているが、作業機の種類は限定するものではない。前記培土板１３は側面視略台形状の左右二枚の板体を平面視略Ｖ字状に構成し、前部に支持杆１３ａを上方に突出するように立設している。なお、本発明の作業機装着装置１２に取り付け可能な作業機は前部に上方（略鉛直方向）に延びる支持杆を備えるものであり、犂や成形板やレーキ等である。また、管理機の場合には抵抗棒や尾輪等を取り付けることもできる。
【００１１】
前記作業機取付体１１は前部に管理機１の本機側に取り付けるための本機固定部１１ａが形成され、後部に作業機の支持杆を取り付けるための杆固定部１１ｂが形成されている。前記本機固定部１１ａは本実施例ではプレート状に形成してボルトまたは溶接等により機体フレーム２に固定されている。前記杆固定部１１ｂはパイプ状に形成して略鉛直方向に配設され、本実施例では該杆固定部１１ｂに作業機装着装置１２の支持杆体２０を杆固定部１１ｂに取り付けている。従来では杆固定部１１ｂに直接作業機の支持杆を取り付けていた。この取り付け構成は、本実施例では、杆固定部１１ｂの上下方向中途部にピン孔を左右方向に設け、他方、支持杆体２０にはピン孔２０ａを前記杆固定部１１ｂのピン孔に合わせて開口し、前記ピン孔同士の位置を合わせてピンにより固定するようにしている。但し、この杆固定部１１ｂと支持杆体２０（または支持杆）の固定構造は限定するものではなく、ボルト等により固定する構成であってもよい。
【００１２】
次に、本発明の作業機装着装置１２を図２、図３、図４を用いて説明する。本発明の作業機装着装置１２は前から後方に支持杆体２０と連結体２１と杆取付体２２と固定体２３等を備え、支持杆体２０を前記杆固定部１１ｂに取り付けて、杆取付体２２に作業機の支持杆を取り付けて固定体２３により固定する構成としている。なお、支持杆体２０と連結体２１と杆取付体２２は一体的に構成される。
【００１３】
前記支持杆体２０は前記作業機取付体１１の杆固定部１１ｂに挿入できる形状の、つまり、作業機の支持杆と略同形状の丸棒状の部材で構成されて上下方向に配置され、上下中途部に一つまたは複数のピン孔２０ａが左右方向に貫通して設けられている。ピン孔２０ａは本実施例では二つ設けている。
【００１４】
前記連結体２１は支持杆体２０と杆取付体２２を前後所定間隔をあけて略平行に連結固定する部材である。本実施例では、該連結体２１はプレートを側面視略クランク状に折り曲げて形成され、連結体２１の下部前面が前記支持杆体２０の下部後面に固設され、連結体２１の上部は支持杆体２０と所定の間隔をあけて後上方に延設されて、その上部後面に杆取付体２２の下部前面が固設される構成としている。なお、該連結体２１の形状はクランク状に限定するものではなく、プレートを側面視略Ｕ字状に折り曲げたものや台形状の板体等により構成することもでき、支持杆体２０を杆固定部１１ｂに挿入して固定したときに杆取付体２２や連結体２１が邪魔にならない形状であればよい。
【００１５】
前記杆取付体２２は連結体２１を介して支持杆体２０に一体的に固定して作業機の支持杆を挿入して支持する部材である。該杆取付体２２は作業機の支持杆を挿入できる内径を有するパイプ状の部材で構成されており、上下中途部の後面にロック部２２ａが形成されている。該ロック部２２ａは固定体２３を取り付けて、該固定体２３が操作されると、杆取付体２２に挿入した作業機の支持杆が固定される構成としている。該固定体２３の取付構成は、杆取付体２２の上下中途部後面にパイプ内部と連通する開口部２２ｂが設けられ、該開口部２２ｂは略Ｕ字状に構成したガイド部２２ｃで覆われている。
【００１６】
前記固定体２３は杆取付体２２に挿入した作業機の支持杆を固定する部材であり、カム軸２３ａとレバー２３ｂ等を備える。該カム軸２３ａは軸心方向中途部の外周に図３、図４に示すようにカム部２３ｃが形成される。該カム部２３ｃは断面視において略楕円、または、前後一側を半径が徐々に小さくなるように削った形状、または、カム軸２３ａの軸心と軸心がずれた偏心軸により構成される。前記カム軸２３ａの一側には他の部分より大径の抜け止め用当接部２３ｄが形成され、外側端にレバー２３ｂが固定される。他端は軸心部に外側から螺子孔が形成され、ガイド部２２ｃにカム軸２３ａが回動可能に挿入した状態で、止め輪２４を外嵌したボルト２５を螺子孔に螺装することにより抜け止めされる構成としている。なお、カム軸２３ａが任意の回動位置で保持できるように、抜け止め用当接部２３ｄとガイド部２２ｃの端部との間のカム軸２３ａ上に皿バネ等を介装する構成とすることもできる。ただし、前記支持杆体２０及び作業機の支持杆の形状及び大きさは限定するものではなく、その形状や大きさに合わせて前記杆固定部１１ｂ及び杆取付体２２が形成される。
【００１７】
そして、カム軸２３ａを前記ロック部２２ａに挿入してセットした状態において、前記カム部２３ｃは杆取付体２２の開口部２２ｂに位置するように構成される。カム軸２３ａを回動して該カム部２３ｃの半径が最も短い小径部を開口部２２ｂに位置させた状態をロック解除位置とし、支持杆を挿入または摺動できるようにしている。また、カム軸２３ａを回動してカム部２３ｃの大径部を開口部２２ｂに位置させた状態をロック位置とし、支持杆を摺動不可能に固定する。
【００１８】
このような構成において、本発明の作業機装着装置１２を管理機の作業機取付体１１に装着して、該作業機装着装置１２に作業機として培土板１３を装着する場合について説明する。まず、作業機装着装置１２の支持杆体２０を作業機取付体１１の杆固定部１１ｂに挿入して、両者のピン孔の位置を合わせてピンを挿通して固定する。なお、該支持杆体２０は杆固定部１１ｂに対して下方より挿入しても、または、上方より挿入してもよい。
【００１９】
次に、固定体２３をロック解除位置の状態として、培土板１３の支持杆１３ａを下方より挿入し、所望の高さに位置させた状態で、レバー２３ｂをロック方向に回動する。該レバー２３ｂの回動によりカム軸２３ａが回動され、カム部２３ｃも同時に回動される。該カム部２３ｃの回動により大径部が支持杆１３ａの後面に圧接し、該支持杆１３ａは杆取付体２２で締め付けられて固定されることになる。なお、支持杆１３ａの後面を上下方向に波状に構成することで、ロック時に作業機が上下方向にずれ難く、回転もし難くなる。
【００２０】
以上のように、走行機体に取り付けた作業機取付体１１に装着して作業機としての培土板１３の支持杆１３ａを上下調節可能に取り付ける作業機装着装置１２であって、前記作業機取付体１１に取り付ける支持杆体２０と、支持杆１３ａを取り付ける杆取付体２２と、前記支持杆体２０と杆取付体２２を所定間隔をあけて連結する連結体２１と、前記杆取付体２２に挿入した支持杆１３ａを固定する固定体２３とを備えるので、作業機装着装置１２は簡単に構成でき、安価に製作できるとともに、作業機装着装置１２を走行機体の作業機取付体１１に取り付けておくだけで、杆取付体２２に培土板１３だけでなくその他の作業機の支持杆を容易に着脱でき、高さ調節も容易にできる。また、従来のように作業機側ヒッチを予め作業機に取り付ける必要がなく、そのまま作業機を取り付けることができる。
【００２１】
また、前記固定体２３はカム軸２３ａとレバー２３ｂを備え、該カム軸２３ａには断面形状が徐々に半径が小さくなるカム部２３ｃが形成され、前記杆取付体２２に挿入した支持杆１３ａの外周に前記カム部２３ｃの半径が大きい部分を押し付けて固定する構成としたので、支持杆１３ａを固定するための構造が簡単で、工具を必要とせず、レバー２３ｂを回動するだけの操作により容易に支持杆１３ａを固定することができる。よって、レバー２３ｂを回動するだけで作業機の高さも任意の高さに容易に調整できる。また、テコの原理により大きな力を必要とせず、締め付け固定することができる。
【図面の簡単な説明】
【００２２】
【図１】本発明の作業機装着装置に培土板を装着した管理機の全体側面図。
【図２】本発明の作業機装着装置の側面図。
【図３】図２におけるＸ−Ｘ矢視断面図。
【図４】図３におけるカム部のＹ−Ｙ矢視断面図。
【符号の説明】
【００２３】
１１  作業機取付体
１２  作業機装着装置
１３ａ  支持杆
２０  支持杆体
２１  連結体
２２  杆取付体
２３  固定体
２３ａ  カム軸
２３ｂ  レバー
２３ｃ  カム部
【図１】
0005138390.tif 000002
【図２】
0005138390.tif 000003
【図３】
0005138390.tif 000004
【図４】
0005138390.tif 000005